(57)【要約】      （修正有）【課題】短時間大電流が発生した場合には直ちにスイッチ素子がオフされることを防止でき、かつヒューズを溶断する定常電流が流れた場合には、ヒューズが溶断する前にスイッチ素子をオフすることができる。【解決手段】検出部は、電源から負荷部に流れる電流量を検出し、当該電流量を示す出力電圧を出力する。制御部は、出力電圧が印加される入力端子を有し、当該入力端子に印加された出力電圧が示す電流量が所定の過電流検出電流量以上である場合にスイッチ素子をオフする。フィルタ回路は、検出部により出力電圧が出力される出力端子に対して直列に多段接続されたＮ個のローパスフィルタを有し、一段目のローパスフィルタの出力が入力端子に接続される。【選択図】図１
2015035924.tif 000002
【特許請求の範囲】
【請求項１】
電源と負荷部との間に接続されたヒューズと、
前記電源と前記負荷部との間に接続されたスイッチ素子と、
前記電源から前記負荷部に流れる電流量を検出し、当該電流量を示す出力電圧を出力する検出部と、
前記出力電圧が印加される入力端子を有し、当該入力端子に印加された前記出力電圧が示す電流量が所定の過電流検出電流量以上である場合に前記スイッチ素子をオフする制御部と、
前記検出部により前記出力電圧が出力される出力端子に対して直列に多段接続されたＮ個のローパスフィルタを有し、一段目の前記ローパスフィルタの出力が前記入力端子に接続されたフィルタ回路と、を備え、
前記Ｎ個のローパスフィルタは、実効的な前記所定の過電流検出電流量が、前記ヒューズの電流量−溶断時間特性に対して所定のマージンを有する前記スイッチ素子の電流量−遮断時間特性となるように、一段目の前記ローパスフィルタから順に時定数が長くなる過電流保護装置。
【請求項２】
前記所定の過電流検出電流量は、前記負荷部に定常電流が流れる定常動作状態において前記ヒューズが溶断される電流量より少ない請求項１に記載の過電流保護装置。
【発明の詳細な説明】
【技術分野】
【０００１】
本発明の実施形態は、過電流保護装置に関する。
【背景技術】
【０００２】
過電流に対する蓄電池（電源の一例）の保護として、電子回路による保護およびヒューズによる保護の２つが併用されている。電子回路による保護は、ヒューズが溶断されない範囲で、蓄電池から主回路（負荷部の一例）へ流れる電流を遮断することにより行われる。
【先行技術文献】
【特許文献】
【０００３】
【特許文献１】特開２０１２−１３７３３４号公報
【発明の概要】
【発明が解決しようとする課題】
【０００４】
ところで、蓄電池の出力インピーダンスが低い場合、蓄電池の保護として用いられるヒューズには、過電流発生時の蓄電池の保護のために短い時間で切れるヒューズが用いられるため、電子回路による保護は、短い時間に流れる短時間大電流（過電流）に対応させて高い閾値を設定し、当該閾値を超える電流量の短時間大電流が発生した場合に蓄電池と主回路との接続を遮断することにより行う必要がある。しかしながら、高い閾値が設定された電子回路による保護においては、当該閾値より低い電流量の定常電流（過電流）が長い時間発生した場合に、ヒューズが溶断される。一方、長い時間発生する定常電流に対応させて低い閾値が設定された電子回路による保護においては、当該閾値より大きい電流量の短時間大電流が短時間発生した場合に、ヒューズが溶断される。
【課題を解決するための手段】
【０００５】
実施形態の過電流保護装置は、ヒューズと、スイッチ素子と、検出部と、制御部と、フィルタ回路と、を備える。ヒューズは、電源と負荷部との間に接続される。スイッチ素子は、電源と負荷部との間に接続される。検出部は、電源から負荷部に流れる電流量を検出し、当該電流量を示す出力電圧を出力する。制御部は、出力電圧が印加される入力端子を有し、当該入力端子に印加された出力電圧が示す電流量が所定の過電流検出電流量以上である場合にスイッチ素子をオフする。フィルタ回路は、検出部により出力電圧が出力される出力端子に対して直列に多段接続されたＮ個のローパスフィルタを有し、一段目のローパスフィルタの出力が入力端子に接続される。Ｎ個のローパスフィルタは、実効的な所定の過電流検出電流量が、ヒューズの電流量−溶断時間特性に対して所定のマージンを有するスイッチ素子の電流量−遮断時間特性となるように、一段目のローパスフィルタから順に時定数が長くなる。
【図面の簡単な説明】
【０００６】
【図１】図１は、第１の実施形態にかかる蓄電池装置の構成を示すブロック図である。
【図２】図２は、第１の実施形態にかかる蓄電池装置が有するフィルタ回路から出力される出力電圧の変化を示す図である。
【図３】図３は、ヒューズ溶断特性および過電流検出特性を示す図である。
【図４】図４は、変形例にかかる蓄電池装置が有するフィルタ回路の構成を示す図である。
【発明を実施するための形態】
【０００７】
以下、添付の図面を用いて、本実施形態にかかる過電流保護装置を適用した蓄電池装置の構成について説明する。
【０００８】
（第１の実施形態）
図１は、第１の実施形態にかかる蓄電池装置の構成を示すブロック図である。本実施形態にかかる蓄電池装置１００（過電流保護装置の一例）は、電池モジュール１０１と、ヒューズ１０２と、電流検出回路１０３と、充電制御ＦＥＴ（Field  Effect  Transistor）１０４と、放電制御ＦＥＴ１０５と、電源回路１０６と、電池電圧監視回路１０７と、制御演算回路１０８と、第１ＦＥＴドライバ１０９と、第２ＦＥＴドライバ１１０と、比較器１１１と、フリップフロップ１１２と、ＮＡＮＤ回路１１３と、電流制限抵抗１１４と、正極主回路端子ＴＰと、負極主回路端子ＴＭと、整流用ダイオードＤ１，Ｄ２と、フィルタ回路Ｆと、を備えている。蓄電池装置１００は、電池モジュール１０１に対して充放電を行う図示しない蓄電池利用装置（負荷部の一例）に接続されている。具体的には、正極主回路端子ＴＰが蓄電池利用装置の正側端子（正側主回路）に接続され、負極主回路端子ＴＭが蓄電池装置の負側端子（負側主回路）に接続されている。また、図示しない蓄電池利用装置は、通信線を介して制御演算回路１０８と接続されている。
【０００９】
電源回路１０６は、電池モジュール１０１または図示しない蓄電池利用装置からの電力を蓄電池装置１００全体に供給する。
【００１０】
電池モジュール１０１（電源の一例）は、複数の電池セル１０１ａ（例えば、リチウムイオン電池や鉛蓄電池などの二次電池）が直列接続されている。正極主回路端子ＴＰは、電池モジュール１０１の高電位側に接続されて、電池モジュール１０１から図示しない蓄電池利用装置に電力を供給するための端子である。負極主回路端子ＴＭは、電池モジュール１０１の低電位側に接続されて、電池モジュール１０１から図示しない蓄電池利用装置に電力を供給するための端子である。
【００１１】
ヒューズ１０２は、電池モジュール１０１と図示しない蓄電池利用装置との間に接続されている。本実施形態では、ヒューズ１０２は、電池モジュール１０１の高電位側に接続され、電池モジュール１０１から図示しない蓄電池利用装置に過電流が流れた場合に、電池モジュール１０１と、図示しない蓄電池利用装置との接続を遮断する。
【００１２】
充電制御ＦＥＴ１０４は、ＮＭＯＳ（Negative  channel  Metal  Oxide  Semiconductor）−ＦＥＴで構成され、電池モジュール１０１と図示しない蓄電池利用装置との間に接続されている。また、本実施形態では、充電制御ＦＥＴ１０４には、電池モジュール１０１から図示しない蓄電池利用装置に電力を供給する際に電流を流す整流用ダイオードＤ１が並列接続されている。
【００１３】
放電制御ＦＥＴ１０５（スイッチ素子の一例）は、ＮＭＯＳ−ＦＥＴで構成され、電池モジュール１０１と図示しない蓄電池利用装置との間に接続されている。また、本実施形態では、放電制御ＦＥＴ１０５には、図示しない蓄電池利用装置からの電力により電池モジュール１０１を充電する際に電流を流す整流用ダイオードＤ２が並列接続されている。
【００１４】
電池電圧監視回路１０７は、電池モジュール１０１が有する複数の電池セル１０１ａそれぞれの低電位側および高電位側に接続された電圧検出線を介して、当該複数の電池セル１０１ａそれぞれの電池電圧（以下、セル電圧と言う）を検出する。また、電池電圧監視回路１０７は、通信線を介して後述する制御演算回路１０８と接続され、複数の電池セル１０１ａそれぞれのセル電圧の検出結果を当該制御演算回路１０８に通知する。
【００１５】
制御演算回路１０８は、通信線を介して電池電圧監視回路１０７と接続され、当該電池電圧監視回路１０７から通知されたセル電圧に基づいて、電池モジュール１０１の充電および放電を制御する。
【００１６】
本実施形態では、制御演算回路１０８は、電池モジュール１０１からの電力供給を指示する電力供給指示を図示しない蓄電池利用装置から受信した場合に、当該電力供給指示に応じて、電池モジュール１０１の放電を指示するロウレベルの放電許可信号をＮＡＮＤ回路１１３に出力する。一方、制御演算回路１０８は、図示しない蓄電池利用装置による電力供給指示の出力が停止した場合、電池モジュール１０１の放電停止を指示するハイレベルの放電許可信号をＮＡＮＤ回路１１３に出力する。また、本実施形態では、制御演算回路１０８は、電池モジュール１０１を充電する場合に、電池モジュール１０１の充電を指示するハイレベルの充電指示信号を第１ＦＥＴドライバ１０９に出力する。
【００１７】
さらに、本実施形態では、制御演算回路１０８は、後述する比較器１１の入力端子（マイナス端子）に、所定の過電流検出電流量（例えば、２００Ａ）を示す基準電圧を印加する。ここで、所定の過電流検出電流量は、電池モジュール１０１から図示しない蓄電池利用装置に対して定常電流が流れる定常動作状態においてヒューズ１０２が溶断される電流量より少ない電流量である。これにより、所定の過電流検出電流量以上の電流が電池モジュール１０１から図示しない蓄電池利用装置に流れた場合に、当該電流によりヒューズ１０２が溶断される前に、過電流を検出して、放電制御ＦＥＴ１０５をオフすることができる。
【００１８】
ＮＡＮＤ回路１１３は、制御演算回路１０８から入力された放電許可信号が電池モジュール１０１の放電を指示するロウレベルの信号であり、かつ後述するフリップフロップ１１２から出力される過電流非検出信号が過電流が検出されていないことを示すロウレベルの信号である場合に、電池モジュール１０１の放電を指示するハイレベルの放電指示信号を第２ＦＥＴドライバ１１０に出力する。
【００１９】
第１ＦＥＴドライバ１０９は、制御演算回路１０８からの充電指示信号（ハイレベル）に応じて、充電制御ＦＥＴ１０４のゲートに充電制御ＦＥＴ駆動信号（駆動電圧）を印加して、充電制御ＦＥＴ１０４をオンして電池モジュール１０１の充電を行わせる。
【００２０】
第２ＦＥＴドライバ１１０は、ＮＡＮＤ回路１１３からの放電指示信号（ハイレベル）に応じて、放電制御ＦＥＴ１０５のゲートに放電制御ＦＥＴ駆動信号（駆動電圧）を出力（印加）して、放電制御ＦＥＴ１０５をオンして電池モジュール１０１から図示しない蓄電池利用装置への電力供給を行わせる。
【００２１】
電流検出回路１０３（検出部の一例）は、電池モジュール１０１から図示しない蓄電池利用装置に流れる電流の電流量を検出して、当該検出した電流量を示す出力電圧を出力する。本実施形態では、電流検出回路１０３は、シャント抵抗１０３ａおよびオペアンプ１０３ｂを有している。シャント抵抗１０３ａは、電池モジュール１０１の低電位側に接続されている。オペアンプ１０３ｂは、当該シャント抵抗１０３ａの両端の電圧に基づいて電池モジュール１０１から図示しない蓄電池利用装置に流れる電流の電流量を検出して、検出した電流量を表す出力電圧を、出力端子１０３ｃを介して比較器１１１に出力する。
【００２２】
比較器１１１は、電流検出回路１０３の出力電圧が印加される非反転入力端子および制御演算回路１０８により基準電圧が印加される反転入力端子を有する。そして、比較器１１１は、非反転入力端子に印加された出力電圧が反転入力端子に印加された基準電圧以上である場合に（すなわち、出力電圧が示す電流量が、基準電圧が示す所定の過電流検出電流量以上である場合に）、過電流を検出して、過電流が検出されたことを示すハイレベルの過電流検出信号を、後述するフリップフロップ１１２のセット端子Ｓに出力する。
【００２３】
フリップフロップ１１２は、比較器１１１から過電流検出信号が入力されるセット端子Ｓと、制御演算回路１０８から出力された放電許可信号が入力されるリセット端子Ｒと、セット端子Ｓに入力された過電流検出信号が過電流が検出されたことを示すハイレベルの信号でありかつリセット端子Ｒに入力された放電許可信号が電池モジュール１０１からの電力供給を指示するロウレベルの信号である場合に、過電流が検出されたことを示すハイレベルの過電流非検出信号をＮＡＮＤ回路１１３に出力する。これにより、フリップフロップ１１２は、ＮＡＮＤ回路１１３から第２ＦＥＴドライバ１１０へ出力される放電指示信号をロウレベルにして、放電制御ＦＥＴ１０５をオフすることにより、電池モジュール１０１から図示しない蓄電池利用装置に過電流が流れることを防止する。
【００２４】
すなわち、本実施形態では、制御演算回路１０８、第２ＦＥＴドライバ１１０、比較器１１１、フリップフロップ１１２およびＮＡＮＤ回路１１３が、出力電圧が印加される入力端子（本実施形態では、比較器１１１の非反転入力端子）を有するとともに、当該入力端子に印加された出力電圧が示す電流量が所定の過電流検出電流量以上である場合に放電制御ＦＥＴ１０５をオフする制御部として機能する。
【００２５】
フィルタ回路Ｆは、電流検出回路１０３の出力端子１０３ｃに対して直列に多段接続されているローパスフィルタＲＣ１，ＲＣ２を有している。そして、一段目のローパスフィルタＲＣ１の出力が、比較器１１１の非反転入力端子に接続されている。具体的には、一段目のローパスフィルタＲＣ１は、電流検出回路１０３の出力端子１０３ｃと接地端子との間に直列接続された抵抗Ｒ１（例えば、１０ｋΩ）およびコンデンサＣ１（例えば、０．１５μＦ）を有し、抵抗Ｒ１とコンデンサＣ１との接続点の電圧を出力電圧として比較器１１１の非反転入力端子に印加する。また、二段目のローパスフィルタＲＣ２は、一段目のローパスフィルタＲＣ１の抵抗Ｒ１とコンデンサＣ１との間と、接地端子との間に直列接続された抵抗Ｒ２（例えば、４．７ｋΩ）およびコンデンサＣ２（例えば、２．２μＦ）を有する。
【００２６】
また、一段目のローパスフィルタＲＣ１および二段目のローパスフィルタＲＣ２は、実効的な所定の過電流検出電流量が、ヒューズ１０２の電流量−溶断時間特性に対して所定のマージンを有する放電制御ＦＥＴ１０５の電流量−遮断時間特性となるように、一段目のローパスフィルタＲＣ１の時定数が二段目のローパスフィルタＲＣ２の時定数より短くなっている。ここで、ヒューズ１０２の電流量−遮断時間特性は、ヒューズ１０２が溶断される電流量と当該電流量の電流によりヒューズ１０２が溶断されるまでの時間である溶断時間との対応関係を示す特性である（図３参照）。また、放電制御ＦＥＴ１０５の電流量−遮断時間特性は、放電制御ＦＥＴ１０５に流れる電流量と当該電流量の電流により放電制御ＦＥＴ１０５が遮断されるまでの時間である遮断時間との対応関係を示す特性である（図３参照）。そして、放電制御ＦＥＴ１０５の電流量−遮断時間特性は、比較器１１１の反転入力端子に印加される基準電圧が示す所定の過電流検出電流量が、定常動作状態においてヒューズ１０２が溶断される電流量より少ない電流量となっていることにより、ヒューズ１０２の電流量−溶断時間特性に対して所定のマージンを有している（図３参照）。
【００２７】
次に、図１〜３を用いて、本実施形態にかかる蓄電池装置１００において過電流が発生した場合に放電制御ＦＥＴ１０５をオフする処理について説明する。図２は、第１の実施形態にかかる蓄電池装置が有するフィルタ回路から出力される出力電圧の変化を示す図である。図３は、ヒューズの電流量−溶断時間特性および放電制御ＦＥＴの電流量−遮断時間特性を示す図である。
【００２８】
フィルタ回路Ｆは、上述したように、一段目のローパスフィルタＲＣ１の時定数が二段目のローパスフィルタＲＣ２の時定数より短くなっているため、電流検出回路１０３による出力電圧の印加開始時は（一段目のローパスフィルタＲＣ１のコンデンサＣ１が飽和状態になるまでは）、図２に示すように、一段目のローパスフィルタＲＣ１の時定数（０．１５ｍｓ）に従って出力電圧を比較器１１１の非反転入力端子に印加する。よって、比較器１１１は、電流検出回路１０３による出力電圧の印加開始時においては、短い時間に流れる大電流である短時間大電流（例えば、電池モジュール１０１から図示しない蓄電池利用装置への電力供給を開始した際に生じる突入電流など）を過電流として検出して、過電流を検出したことを示すハイレベルの過電流検出信号をフリップフロップ１１２のセット端子Ｓに出力することが可能となる。そして、フリップフロップ１１２は、過電流が検出されたことを示すハイレベルの過電流検出信号が入力されると、過電流が検出されたことを示すハイレベルの過電流非検出信号をＮＡＮＤ回路１１３に出力して、放電制御ＦＥＴ１０５をオフする。
【００２９】
その際、フィルタ回路Ｆは、一段目のローパスフィルタＲＣ１のコンデンサＣ１が飽和状態となるまでは（図３に示す０．００１〜０．０１ｓ）、一段目のローパスフィルタＲＣ１の抵抗Ｒ１と二段目のローパスフィルタＲＣ２の抵抗Ｒ２により分圧された出力電圧を比較器１１１の非反転入力端子に印加する。そのため、比較器１１１は、電流検出回路１０３により検出された短時間大電流の電流量が所定の過電流検出電流量（例えば、２００Ａ）を超えたとしても、一段目のローパスフィルタＲＣ１の抵抗Ｒと二段目のローパスフィルタＲＣ２の抵抗Ｒにより分圧された出力電圧が表す電流量が、所定の過電流検出電流量以上とならなければ、過電流が検出されたことを示すハイレベルの過電流検出信号を出力せず、放電制御ＦＥＴ１０５をオフされない。より具体的には、本実施形態にかかる蓄電池装置１００においては、一段目のローパスフィルタＲＣ１のコンデンサＣ１が飽和状態となるまでは、放電制御ＦＥＴ１０５をオフする場合に基準となる所定の過電流検出電流量が、見かけ上、当該所定の過電流検出電流量の（Ｒ１＋Ｒ２）／Ｒ１倍になる。
【００３０】
これにより、フィルタ回路Ｆは、一段目のローパスフィルタＲＣ１のコンデンサＣ１が飽和状態になるまでは（図３に示す０．００１〜０．０１s）、実効的な所定の過電流検出電流量を、短時間大電流によってヒューズ１０２が溶断され難いことを表すヒューズ１０２の電流量−溶断時間特性に対して所定のマージンを有する放電制御ＦＥＴ１０５の電流量−遮断時間特性に近似させて、短時間大電流が発生した場合に、直ちに放電制御ＦＥＴ１０５がオフされることを防止している。
【００３１】
その後、フィルタ回路Ｆは、一段目のローパスフィルタＲＣ１のコンデンサＣ１が飽和状態になると、図２に示すように、二段目のローパスフィルタＲＣ２の時定数（１０ｍｓ）で出力電圧を比較器１１１の非反転入力端子に印加する。よって、比較器１１１は、電池モジュール１０１から図示しない蓄電池利用装置に定常電流が流れる定常動作状態においては、定常電流を過電流として検出して、過電流が検出したことを示すハイレベルの過電流検出信号をフリップフロップ１１２のセット端子に出力することが可能となる。そして、フリップフロップ１１２は、過電流が検出されたことを示すハイレベルの過電流検出信号が入力されると、過電流が検出されたことを示すハイレベルの過電流非検出信号をＮＡＮＤ回路１１３に出力して、放電制御ＦＥＴ１０５をオフする。
【００３２】
その際、フィルタ回路Ｆは、二段目のローパスフィルタＲＣ２のコンデンサＣ２が飽和状態に近づく従い（図３に示す０．０１ｓ以降）、電流検出回路１０３の出力端子１０３ｃから出力された出力電圧をそのまま（すなわち、一段目のローパスフィルタＲＣ１の抵抗Ｒ１および二段目のローパスフィルタＲＣ２の抵抗Ｒ２により分圧せずに）比較器１１１の非反転入力端子に印加する。そのため、比較器１１１は、電流検出回路１０３により検出された定常電流の電流量が所定の過電流検出電流量を超えると、過電流が検出されたことを示すハイレベルの過電流検出信号を出力して放電制御ＦＥＴ１０５をオフする。
【００３３】
これにより、フィルタ回路Ｆは、一段目のローパスフィルタＲＣ１のコンデンサＣ１が飽和状態となった後（図３に示す０．０１ｓ以降）は、実効的な所定の過電流検出電流量を、定常電流によってヒューズ１０２が溶断されることを表すヒューズ１０２の電流量−溶断時間特性に対して所定のマージンを有する放電制御ＦＥＴ１０５の電流量−遮断時間特性に近似させて、定常電流によって放電制御ＦＥＴ１０５がオフされるようにしている。
【００３４】
このように、第１の実施形態の蓄電池装置１００によれば、実効的な所定の過電流検出電流量を、ヒューズ１０２の電流量−溶断時間特性に対して所定のマージンを有する放電制御ＦＥＴ１０５の電流量−遮断時間特性に近似させることができるので、短時間大電流が発生した場合には直ちに放電制御ＦＥＴ１０５がオフされることを防止でき、かつヒューズ１０２を溶断する定常電流が流れた場合には、ヒューズ１０２が溶断する前に放電制御ＦＥＴ１０５をオフすることができる。
【００３５】
本実施形態では、充電制御ＦＥＴ１０４は、ＮＭＯＳ−ＦＥＴで構成されているが、これに限定するものではなく、例えば、ＰＭＯＳ（Positive  channel  Metal  Oxide  Semiconductor）−ＦＥＴやＩＧＢＴ（Insulated  Gate  Bipolar  Transistors）を用いても良い。また、充電制御ＦＥＴ１０４としてバイポーラトランジスタを用いることも可能である。この場合、バイポーラトランジスタのベースに流す電流量を変更することにより、バイポーラトランジスタのオンおよびオフを制御する電流制限回路を設ける。
【００３６】
また、本実施形態では、放電制御ＦＥＴ１０５（スイッチ素子の一例）は、ＮＭＯＳ−ＦＥＴで構成されているが、これに限定するものではなく、例えば、ＰＭＯＳ−ＦＥＴやＩＧＢＴを用いても良い。また、放電制御ＦＥＴ１０５としてバイポーラトランジスタを用いることも可能である。この場合、バイポーラトランジスタのベースに流す電流量を変更することにより、バイポーラトランジスタのオンおよびオフを制御する電流制限回路を設ける。
【００３７】
（変形例）
本変形例は、フィルタ回路が、電流検出回路により出力電圧が出力される出力端子に対して直列に多段接続された３以上のローパスフィルタを有する例である。以下の説明では、第１の実施形態と同様の箇所については説明を省略する。
【００３８】
図４は、変形例にかかる蓄電池装置が有するフィルタ回路の構成を示す図である。本実施形態では、フィルタ回路ＦＡは、電流検出回路１０３の出力端子１０３ｃに対して直列に多段接続されたＮ個（本実施形態では、３個以上）のローパスフィルタＲＣ１〜ＲＣＮを有する。また、Ｎ段目のローパスフィルタＲＣＮは、Ｎ−１段目のローパスフィルタの抵抗とコンデンサとの間と、接地端子との間に直列接続された抵抗ＲＮおよびコンデンサＣＮを有する。さらに、Ｎ個のローパスフィルタＲＣ１〜ＲＣＮは、実効的な所定の過電流検出電流量が、ヒューズ１０２の電流量−溶断時間特性に対して所定のマージンを有する放電制御ＦＥＴ１０５の電流量−遮断時間特性となるように、一段目のローパスフィルタＲＣ１から順に時定数が長くなる。
【００３９】
このように、変形例にかかるフィルタ回路ＦＡによれば、フィルタ回路ＦＡが３個以上のローパスフィルタＲＣ１〜ＲＣＮを有する場合においても、第１の実施形態と同様に、実効的な所定の過電流検出電流量を、ヒューズ１０２の電流量−溶断時間特性に対して所定のマージンを有する放電制御ＦＥＴ１０５の電流量−遮断時間特性に近似させることができるので、短時間大電流が発生した場合には直ちに放電制御ＦＥＴ１０５がオフされることを防止でき、かつヒューズ１０２を溶断する定常電流が流れた場合には、放電制御ＦＥＴ１０５をオフすることができる。
【００４０】
以上説明したとおり、第１の実施形態および変形例によれば、短時間大電流が発生した場合には直ちに放電制御ＦＥＴ１０５がオフされることを防止でき、かつヒューズ１０２を溶断する定常電流が流れた場合には、ヒューズ１０２が溶断する前に放電制御ＦＥＴ１０５をオフすることができる。
【００４１】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４２】
１００  蓄電池装置
１０１  電池モジュール
１０２  ヒューズ
１０３  電流検出回路
１０５  放電制御ＦＥＴ
１０６  電源回路
１０８  制御演算回路
１１０  第２ＦＥＴドライバ
１１１  比較器
１１２  フリップフロップ
１１３  ＮＡＮＤ回路
Ｅ  主電源
Ｆ  フィルタ回路
ＲＣ１〜ＲＣＮ  ローパスフィルタ
【図１】
2015035924.tif 000003
【図２】
2015035924.tif 000004
【図３】
2015035924.tif 000005
【図４】
2015035924.tif 000006